(57)【要約】【課題】ユーザが視聴するコンテンツに対して、コンテンツのジャンル応じて、開始時刻及び終了時刻に、表示エフェクト及び音声通知を付与する。【解決手段】ジャンル特定部３３はコンテンツのジャンルを特定し、コンテンツ判定部３１は、そのジャンルのコンテンツがエフェクトの付与対象であるか否かを判断する。エフェクトの付与対象であると判断された場合、コンテンツ判定部３１は、エフェクト格納部３５からコンテンツのジャンルに応じた表示エフェクトと、音声データとを選択し、エフェクト制御部２３は、選択された表示エフェクトである幕を、閉じた状態を所定時間表示し、つづいて、幕が徐々に開くような表示エフェクトをコンテンツに付与し、さらに選択された音声データをコンテンツに付与する。【選択図】図１
2008193216.tif 000002
【特許請求の範囲】
【請求項１】
コンテンツのジャンルを特定する工程と、
前記ジャンルに応じて、前記コンテンツの開始及び／又は終了の際に、表示エフェクトを前記コンテンツに付与する工程と、
前記表示エフェクトの付与とともに、前記コンテンツの開始及び／又は終了に関する情報を音声や効果音にて通知する工程と
を備えることを特徴とする通知方法。
【請求項２】
前記ジャンルに応じて、通知する前記音声や前記効果音の内容を変更することを特徴とする請求項１に記載の通知方法。
【請求項３】
コンテンツのジャンルを特定するジャンル特定部と、
前記コンテンツのジャンルに応じて、前記コンテンツの開始及び／又は終了の際に表示エフェクトをコンテンツに付与するエフェクト付与部と、
前記表示エフェクトの付与にあわせて、前記コンテンツの開始及び／又は終了を音声や効果音にて通知する通知部と
を備えることを特徴とする表示装置。
【請求項４】
前記通知部は、前記ジャンルに応じて前記音声や前記効果音による通知内容を変更することを特徴とする請求項３に記載の表示装置。
【発明の詳細な説明】
【技術分野】
【０００１】
本発明は、通知方法及び表示装置に係り、特にコンテンツの開始及び／又は終了のタイミングで表示エフェクトを付与するとともに、音声にてコンテンツの開始及び／又は終了を通知する通知方法及び表示装置に関する。
【背景技術】
【０００２】
近年、液晶テレビやＰＤＰ（プラズマディスプレイパネル）テレビ等の薄型受像表示装置（以下単に「薄型テレビ」という）の大型化が進み、サイズが５０（インチ）型のテレビも、一般消費者が購入可能な価格になっている。そのような大型のテレビでは、臨場感溢れる環境で、様々なコンテンツを楽しむことができる。
【０００３】
例えば、家庭にいながら、まるで映画館にいるかのようにコンテンツを楽しむことができたり、競技場にいるかのようにスポーツ放送を楽しむことができる。
【０００４】
ところで、上述の薄型テレビ市場における製造メーカ各社の競争は熾烈を極めており、各社とも様々な技術を投入することで映像品位のさらなる向上を実現させ、他社との差別化を図っている。そのような状況において、ユーザの選択基準とし、表示品位などの基本性能はもちろんであるが、それ以外の付加機能についても重要になりつつある。
【０００５】
また、そのような付加機能として想定される技術の一つに、エフェクトの付与がある（特許文献１参照。）。この特許文献１に開示の技術では、ビデオカメラで撮影した映像に対して種々のフェードパターンを付与することができる。
【特許文献１】特公平８−８６６０号公報
【発明の開示】
【発明が解決しようとする課題】
【０００６】
上記特許文献１に開示の技術では、ユーザが所望のフェードパターンを選択して、自ら撮影した映像にエフェクトを付与するといった編集を行う。しかし、映像編集を行う際には、非常に効果的な技術であるが、テレビ放送やＤＶＤ（Digital Versatile Disc）ビデオなどのコンテンツを単に視聴する際には、利用できないという課題がある。つまり、映像編集の際には、ユーザ自らがエフェクト付与の対象を選択できるが、テレビ放送などでは、様々な種類のコンテンツがあるため、テレビ等の表示装置側でエフェクトを付与するか否かを判断することが必要とされる。また、特許文献１の技術では、コンテンツに対して付与するエフェクトが、映像に限られており、音声に関しては考慮されていない。
【０００７】
本発明はこのような状況に鑑みなされたものであって、その目的は、コンテンツに対し、エフェクトの付与が求められているか否かを推定し、付与が求められていると推定されるコンテンツに対してエフェクトを付与する技術を提供することにある。特に、コンテンツの開始及び／又は終了のタイミングでコンテンツに対して適当なエフェクトを付与する技術を提供することにある。
【課題を解決するための手段】
【０００８】
本発明に係る方法は、通知方法に関する。この通知方法は、コンテンツのジャンルを特定する工程と、前記ジャンルに応じて、前記コンテンツの開始及び／又は終了の際に、表示エフェクトを前記コンテンツに付与する工程と、前記表示エフェクトの付与とともに、前記コンテンツの開始及び／又は終了に関する情報を音声や効果音にて通知する工程とを備える。
また、前記ジャンルに応じて、通知する前記音声や前記効果音の内容を変更してもよい。
本発明係る装置は、表示装置に関する。この表示装置は、コンテンツのジャンルを特定するジャンル特定部と、前記コンテンツのジャンルに応じて、前記コンテンツの開始及び／又は終了の際に表示エフェクトをコンテンツに付与するエフェクト付与部と、前記表示エフェクトの付与にあわせて、前記コンテンツの開始及び／又は終了を音声や効果音にて通知する通知部とを備える。
また、前記通知部は、前記ジャンルに応じて前記音声や前記効果音による通知内容を変更してもよい。
【発明の効果】
【０００９】
本発明によれば、コンテンツがエフェクトの付与対象であるか否かを推定し、付与対象であると推定されるコンテンツに対して、コンテンツの開始及び／又は終了のタイミングで、適当なエフェクトを付与することができる。また、開始及び／又は終了のタイミングで音声や効果音にて通知するため、コンテンツを視聴するユーザに対して、開始及び／又は終了のタイミングを適切に認識させることができる。
【発明を実施するための最良の形態】
【００１０】
次に、本発明を実施するための最良の形態（以下、単に「実施形態」という。）を、図面を参照して具体的に説明する。
【００１１】
本実施形態では、コンテンツの表示の開始時刻や終了時刻において、コンテンツに対して表示エフェクトを付与するとともに、コンテンツの開始や終了を音声や効果音にて通知する。ここで表示エフェクトの付与とは、コンテンツに対して所定の映像を合成したり、コンテンツの映像を変形や加工したりすることをいう。また、音声通知とは、コンテンツの音声に代わり、所定の音声を出力したり、コンテンツの音声に合成したりすることをいう。また、音声とは、人の声に限らず、動物の声や音楽等を含めた音を指す。更に、効果音として、映画館の開閉幕時の音を想念させる「ジー」といった音や、人の拍手の音などが想定される。また音声や効果音の音量は、コンテンツの開始時には徐々に大きくし、終了時に徐々に小さくする用に出力してもよい。以下、音声と効果音を合わせて、単に「音声」と略して表記する。
【００１２】
図１は、本実施形態に係るテレビ１０の構成を示す機能ブロック図である。なお、本実施形態はテレビに限らず、ビデオ装置などの映像を表示する装置に適用可能である。
【００１３】
テレビ１０は、チューナ１１と、主制御部１５と、出力制御部２０と、外部入力部１６と、操作取得部１７と、表示部１８と、スピーカ１９とを備える。テレビ１０は、さらに、エフェクト決定部３０を備える。
【００１４】
主制御部１５は、テレビ１０の各構成要素の動作を制御したり、タイマー機能によって時間管理したり、電源のオンオフ制御を行ったりする。なお、主制御部１５や、出力制御部２０や、エフェクト決定部３０は、例えば、ＣＰＵ（中央演算装置）等のＬＳＩ（大規模集積回路）やメモリ、及びそのメモリに記憶されてそれぞれの機能を実行するプログラムにより実現される。主制御部１５は、画面表示設定を記録する表示設定部３８と、音声設定を記録する音声設定部３９を備える。
【００１５】
チューナ１１は、アンテナ２５に接続されており、地上デジタル放送を受信及び復号する。チューナ１１は、さらに受信部１２と復号処理部１３とを備える。受信部１２は、所望のチャンネルを選局し、復調処理や誤り訂正処理を行い、放送局から送出されたＴＳ（トランスポート・ストリーム）を抽出する。また、復号処理部１３は、多重化されているＴＳを目的別に分離し、映像データ及び音声データを復号するとともに、それらデータ以外の例えばデータ放送のデータを主制御部１５へ送る。また、復号した映像データは、出力制御部２０へ送られる。
【００１６】
外部入力部１６は、例えばビデオ装置やＤＶＤプレーヤなどの外部映像装置４２から所望のコンテンツを取得し、取得したコンテンツを出力制御部２０へ送ったり、外部映像装置４２を制御する。この制御のために、外部映像装置４２とテレビ１０とが、例えば、ＨＤＭＩ（High Definition Multimedia Interface）規格によるインタフェイスを備えている場合、特別なインタフェイスを設けることなく、外部入力部１６は、外部映像装置４２の制御が実現できる。
【００１７】
操作取得部１７は、テレビ１０に備わるスイッチやボタンなどの所定のインタフェイス（図示せず）によりユーザの直接の操作を受け付けたり、リモコン４３による間接の操作を受け付ける。ユーザより取得した指示は、主制御部１５に送られる。
【００１８】
出力制御部２０は、セレクタ２１と、映像構築部２２と、エフェクト制御部２３とを備える。セレクタ２１は、チューナ１１又は外部入力部１６を選択し、その選択に応じて映像信号を表示部１８に出力し、音声信号をスピーカ１９に出力する。
【００１９】
映像構築部２２は、例えば必要に応じてデータ放送の内容を反映させた画面を合成したり、選択しているチャンネルの番号や時刻を付与するなどして表示部１８に最終的に表示すべき映像を構築する。
【００２０】
エフェクト制御部２３は、以下に述べるエフェクト決定部３０で決定された表示エフェクトをコンテンツに付与する。コンテンツの表示が開始する場合には、例えば図２に示すように、幕が徐々に開くように表示することで、コンテンツが表示される面積を時系列に拡大させる。また、コンテンツの表示が終了する場合には、図３に示すように、幕が徐々に閉じるように表示することで、コンテンツが表示される面積を時系列に縮小させる。
【００２１】
なお、表示エフェクトは、コンテンツのジャンルに応じて変更され、幕のデザインが変更されたり、幕の開閉以外に例えばワイプインやワイプアウトなどの表示効果が付与される。また、コンテンツの表示の開始及び終了タイミング以外は、例えば図２（ｃ）に示すように幕がコンテンツの両サイドに表示するが、この処理に限らず幕を表示しなくてもよい。つまり、幕の開く動作が終了すると幕は消えることになる。さらに、エフェクト制御部２３は、上記幕の表示と共に、コンテンツが開始又は終了する旨を通知する音声（音声通知）を、コンテンツに付与する。
【００２２】
また、表示エフェクト付与は、エフェクト付与モードが選択されている場合に選択的に行われ、エフェクト付与モードが選択されていないときには、行われない。なお、エフェクト付与モード選択は、リモコン４３に備わる所定のボタン、例えば、「エフェクト付与」と記載されているボタンを押下することで、エフェクト付与モード選択情報、例えばフラグとして、後述のコンテンツ判定部３１に記憶される。そのボタンが押下されると、エフェクト付与が選択されている旨を示す、所定のフラグが設定される。
【００２３】
エフェクト決定部３０は、コンテンツ判定部３１と、タイミング特定部３２と、ジャンル特定部３３と、設定取得部３４と、エフェクト格納部３５と、を備える。
【００２４】
コンテンツ判定部３１は、コンテンツが表示エフェクトの付与対象であるか否かを判断し、付与対象であると判断した場合、そのコンテンツに対して開始タイミング及び終了タイミングで表示エフェクト及び音声通知を付与する旨を決定し、その旨をエフェクト制御部２３に通知する。
【００２５】
なお、ここでは表示エフェクトの付与対象であるか否かの判断は、コンテンツが属するジャンルや、テレビ１０に設定されている画面表示設定などを参照することでなされる。例えば、地上デジタル放送のＴＳには、コンテンツである番組のジャンル情報が含まれているので、番組のジャンルが「映画」又は「ドラマ」である場合、エフェクト付与対象と判断する。
【００２６】
タイミング特定部３２は、コンテンツに対して表示エフェクト及び音声通知を付与するタイミングを決定する。なお、開始時刻や終了時刻の特定のために、タイミング特定部３２は、地上デジタル放送のコンテンツであれば、ＴＳに含まれる番組配列情報ＳＩや電子番組表ＥＰＧの情報を、主制御部１５を介してチューナ１１から取得する。また、外部映像装置４２のコンテンツが表示される場合、タイミング特定部３２は、外部映像装置４２から、コンテンツの時間やチャプターなどの進行度合い、さらには、外部映像装置４２に対するユーザの指示などの情報を取得する。近年、例えば、テレビ１０とビデオなどの外部映像装置４２とを連動させる機能が多くの製品に搭載されるようになっており、その機能を利用することで、上述の外部映像装置４２からの情報取得は実現できる。また、タイミング特定部３２は、テレビ１０の電源がオン又はオフの動作がなされた際に、コンテンツに対して表示エフェクトを付与することを決定する。
【００２７】
ジャンル特定部３３は、コンテンツのジャンルを特定する。具体的には、地上デジタル放送のコンテンツであれば、ＴＳに含まれる番組配列情報ＳＩやＥＰＧをもとに、例えば、ジャンルとして「映画」や「スポーツ」、「ドラマ」などと特定する。特定したジャンルに対応した表示エフェクトが、必要に応じてコンテンツに表示される。ここでは、上述のようにジャンルが「映画」又は「ドラマ」のコンテンツに対して、表示エフェクトとして幕の開閉がコンテンツに付与される。
【００２８】
設定取得部３４は、表示設定部３８に記憶されている画面表示設定に関する情報や、音声設定部３９に記憶されている音声設定に関する情報を取得し、取得した設定の情報を、コンテンツ判定部３１に通知する。ユーザは、コンテンツを視聴する際に、画面表示設定として複数のモードから所望のモードを選択可能となっている。さらにユーザは、モード設定画面において、上述の画面表示設定や音声設定を、ソース毎に設定できる。ここでは、画面表示設定として、例えば、チューナ１１には「標準モード」、外部入力１６には「シネマモード」が設定されることができる。選択されたモードは、表示画面設定情報又は音声設定情報として画面表示設定部３８又は音声設定部３９に記憶される。そして、テレビ１０の輝度や色調などの画面表示設定が、例えば、映画のコンテンツに適した設定である「シネマモード」である場合、ジャンルが「映画」のコンテンツが視聴されているとみなし、コンテンツはエフェクト付与対象であると判断される。また、外部映像装置４２のコンテンツを視聴している場合、つまり、セレクタ２１が接続先として外部入力部１６を選択している場合、エフェクト付与対象である、ジャンルが「映画」のコンテンツであると判断する。
【００２９】
エフェクト格納部３５は、コンテンツに付与する表示エフェクトのデータ及び音声通知用の音声データ（以下、単に「音声データ」という）を記憶する。ここで、表示エフェクトのデータは、コンテンツにエフェクトが付与されるフレーム数分だけ画像データで保持してもよい。例えば、テレビ１０は、３０フレーム／秒の画像を表示するので、幕が開く動作が２秒であり幕の位置がフレーム毎異なるようであれば、６０フレームの画像データが、コンテンツ開始時の表示エフェクトのデータとして記憶される。また、ベースとなるフレームのデータが記録され、表示エフェクトの付与の際に、そのデータを加工又はデータ間で補間して、幕が開閉する画像を生成するようにしてもよいし、プログラム的に幕が開閉する画像を生成するようにしてもよい。また、表示エフェクトのデータや音声データはそれぞれ複数種類記憶されてもよく、その場合、どのエフェクトやどの音声データがコンテンツに付与されるかは、ジャンルに関連づけられる。そして、コンテンツ判定部３１はコンテンツのジャンルに関連づけられた表示エフェクトや音声データを、それら表示エフェクトの付与又は音声通知の付与に先立ち選択する。
【００３０】
図４は、エフェクト格納部３５に記憶されている表示エフェクトのデータ及び音声データのリストであり、コンテンツのジャンルに対応づけられている。例えば、ジャンルが映画のコンテンツには、開始のタイミングにおいてファイル「ＡＡＡ＿０１．ｘｘｘ」が、終了のタイミングでファイル「ＡＡＡ＿０２．ｘｘｘ」が表示エフェクトとして利用される。同様に、ファイル「ＡＡＡ＿０３．ｘｘｘ」が開始タイミングの音声通知に、ファイル「ＡＡＡ＿０４．ｘｘｘ」が終了のタイミングで音声通知に利用される。さらに、表示エフェクトのデータや音声データの記憶されている領域の先頭のアドレスが記載されている。ファイル「ＡＡＡ＿０１．ｘｘｘ」が記憶されている先頭のアドレスは、「０００００」であり、ファイル「ＡＡＡ＿０２．ｘｘｘ」が記憶されている先頭のアドレスは、「０１０００」である。
【００３１】
以上の構成による、表示エフェクトの付与及び音声通知の手順について説明する。
まず、テレビ１０の電源がオンされた場合の処理について図５のフローチャートを参照して説明する。なお、このフローチャートによる処理は、電源がオンされる毎に、一度だけ起動する。ユーザが、リモコン４３やテレビ１０に備わる電源ボタン（図示せず）により、電源をオンする指示をすると、操作取得部１７は、その指示を受け、主制御部１５へ通知する。すると、主制御部１５がテレビ１０の各構成要素を起動させ、テレビ１０の電源オンの初期化処理を開始する（Ｓ１０）。
【００３２】
つづいて、コンテンツ判定部３１は、エフェクト付与モードが選択されているか否かを、コンテンツ判定部３１の記憶データ（フラグ）を参照して判断する（Ｓ１２）。エフェクト付与モードが選択されている場合（Ｓ１２のＹ）、さらに、コンテンツ判定部３１は、コンテンツがエフェクト付与対象であるか否かを判断する（Ｓ１４）。
【００３３】
エフェクト付与対象であると判断された場合（Ｓ１４のＹ）、ジャンル特定部３３はコンテンツのジャンルを特定し、エフェクト格納部３５から表示すべき表示エフェクトを選択する（Ｓ１６）。
【００３４】
つづいて、エフェクト制御部２３は、コンテンツに対して、選択した表示エフェクトを付与し、幕が徐々に開いていくように表示する（Ｓ１８）。さらに、エフェクト制御部２３は、幕が徐々に開いていくエフェクトの付与中に、音声で通知する音声エフェクトをコンテンツに付与する（Ｓ２０）。
【００３５】
なお、チューナ１１の地上デジタル放送のコンテンツである場合、コンテンツが実際に表示されるまでに、復号処理等によりタイムラグが生じる。その場合、実際にコンテンツが表示されるまで、表示エフェクトとして、エフェクト制御部２３は、図２（ａ）の幕が閉じた状態を表示し、コンテンツの表示開始とともに幕を徐々に開く表示エフェクトをコンテンツに対して付与してもよい。このとき、エフェクト制御部２３は、例えば、「まもなく開始します」という音声をスピーカ１９から出力するようにしてもよい。
【００３６】
Ｓ１２の処理においてエフェクト付与モードが選択されていないと判断された場合（Ｓ１２のＮ）や、Ｓ１４の処理においてコンテンツがエフェクト付与対象でないと判断された場合（Ｓ１４のＮ）、コンテンツに表示エフェクト及び音声通知が付与されることなく、このフローによる処理は終了する。
【００３７】
次に、電源がオンの状態のときに実行される表示エフェクト及び音声通知の付与の処理について図６のフローチャートを参照して説明する。この処理は、図５のフローチャートで上述したテレビ１０がオンされた際の処理が一度行われた後に、継続して実行される。なお、チャンネルの変更や、入力ソースの変更、つまり、選択されている外部入力部１６に入力されている外部映像装置４２の変更があった場合、割り込み処理が発生し、最初の処理（Ｓ３０）へ戻る。
【００３８】
まず、コンテンツ判定部３１は、ユーザによってエフェクト付与モードが選択されているか否かを判断する（Ｓ３０）。エフェクト付与モードは、ユーザがリモコン４３に備わる所定のボタンを押下することで選択され、選択された旨を示す所定のフラグが設定され、コンテンツ判定部３１に記憶される。コンテンツ判定部３１は、そのフラグを参照することで、エフェクト付与モードが選択されているか否かを判断する。エフェクト付与モードが選択されていると判断された場合（Ｓ３０のＹ）、ジャンル特定部３３はコンテンツのジャンルを特定し（Ｓ３２）、さらにコンテンツ判定部３１は、そのジャンルのコンテンツがエフェクトの付与対象であるか否かを判断する（Ｓ３４）。
【００３９】
エフェクトの付与対象であると判断された場合（Ｓ３４のＹ）、コンテンツ判定部３１は、新たなコンテンツが開始されたか否かを判断する（Ｓ３６）。新たなコンテンツであるか否かの判断は、上述のように、タイミング特定部３２が、ＥＰＧを参照し開始時刻を特定したり、テレビ１０のチャンネル変更や外部入力部１６への切替えなどを監視し、その監視の情報を取得することで実行される。
【００４０】
新たなコンテンツが開始されたと判断された場合（Ｓ３６のＹ）、タイミング特定部３２は、コンテンツの冒頭から開始されたか否かを判断する（Ｓ３８）。
【００４１】
冒頭からコンテンツが開始したと判断された場合（Ｓ３８のＹ）、コンテンツ判定部３１は、エフェクト格納部３５からコンテンツのジャンルに応じた表示エフェクトと、音声データとを選択し、エフェクト制御部２３は、図２（ａ）に示すように、選択された表示エフェクトである幕を、閉じた状態を所定時間表示する（Ｓ４０）。このとき、コンテンツは全て隠れた状態になるが、これに限らず、例えば、幕を半開状態にしたり、コンテンツが透けて見える状態にするなどしてもよい。このとき、エフェクト制御部２３は、コンテンツの開始が近い旨を、音声通知してもよい。さらにまた、この幕を閉じた状態を表示する所定時間は、実質的に０秒であってもよいし、ユーザが設定可能としてもよい。また例えば、ＥＰＧを参照して開始時刻を特定している場合や視聴予約をしている場合には、例えば実際の開始時刻２秒前など、所定時間前に幕を閉じた状態が表示されてもよい。
【００４２】
幕が所定時間表示されると、エフェクト制御部２３は、図２（ｂ）に示すように、幕が徐々に開くような表示エフェクトをコンテンツに付与する（Ｓ４２）。この幕が開いていく時間は、ユーザにより設定可能としてもよい。さらに、エフェクト制御部２３は、幕が開く表示エフェクトの付与中に、選択された音声データをコンテンツに付与する（Ｓ４４）。例えばコンテンツが開始した旨を示す「開始しました」という内容の音声をコンテンツに付与する。幕が開く動作が終了すると、図２（ｃ）に示すように、コンテンツの横に幕が開いた状態で表示される（Ｓ４６）。なお、幕が表示画面から消えるように開くような表示エフェクトである場合、Ｓ４６の処理はスキップされる。
【００４３】
Ｓ３８の処理の説明に戻り、コンテンツの冒頭から開始でないと判断された場合（Ｓ３８のＮ）、エフェクト制御部２３は、図２（ｂ）の代わりに、幕が開くとともに「再開」の文字が表示された再開用の表示エフェクトを付与する（Ｓ４８）とともに、再開を通知する音声通知をコンテンツに付与する（Ｓ５０）。Ｓ４８及びＳ５０の処理が終了すると、エフェクト制御部２３は、コンテンツの両サイドに幕を開いた状態で表示する（Ｓ４６）。
【００４４】
幕を開いた状態は、コンテンツが終了するまで表示される（Ｓ５２のＮ）。コンテンツが終了したと判断された場合（Ｓ５２のＹ）、図３（ｂ）に示すように、幕を徐々に閉じる表示エフェクトをコンテンツに付与する（Ｓ５４）。また、幕を徐々に閉じる表示エフェクトの表示中に、コンテンツが終了した旨の音声通知がコンテンツに付与される（５６）。幕が閉じる動作が終了すると、図３（ｃ）に示すように、エフェクト制御部２３は、所定時間閉じた状態を表示し、このフローによる処理が終了し、表示エフェクトは初期化される。
【００４５】
次に、テレビ１０の電源をオフにする操作がなされた際の処理について、図７のフローチャートを参照して説明する。
【００４６】
ユーザがリモコン４３によって電源オフの操作をすると、操作取得部１７はその旨の信号を主制御部１５に通知する。すると、上述の図６のフローチャートに示した処理（Ｓ３０からＳ５６）において、割り込み処理が発生し、本フローによる処理が起動する。
【００４７】
主制御部１５の電源管理部４０は、電源をオフにする信号を受けたことをコンテンツ判定部３１に通知する（Ｓ７０）。すると、コンテンツ判定部３１は、エフェクト付与モードであるか否かを判断する（Ｓ７２）。エフェクト付与モードであると判断された場合（Ｓ７２のＹ）、さらにコンテンツがエフェクト付与の対象であるか否かを判断する（Ｓ７４）。
【００４８】
エフェクト付与対象であると判断された場合（Ｓ７４のＹ）、エフェクト格納部３５からコンテンツのジャンルに応じた表示エフェクトを選択し、エフェクト制御部２３は、選択された表示エフェクトをコンテンツに付与する（Ｓ７６）とともに、電源がオフとなった旨の音声通知をコンテンツに付与する（Ｓ７８）。
【００４９】
幕を閉じる表示エフェクトが終了すると、電源管理部４０によってテレビ１０をオフにする処理が実行される（Ｓ８０）。なお、エフェクト付与モードでないと判断された場合（Ｓ７２のＮ）や、コンテンツがエフェクト付与の対象でないと判断された場合（Ｓ７４のＮ）、表示エフェクトや音声エフェクトを付与する処理はなされず、電源管理部４０によってテレビ１０をオフにする処理が実行される（Ｓ８０）。
【００５０】
以上、本実施形態によれば、コンテンツが開始する又は終了するタイミングに、表示エフェクトを付与することができる。さらに、コンテンツの開始する又は終了するタイミングで、音声通知することができる。液晶テレビなどの薄型表示装置では、サイズが５０（インチ）型を越えるものが、一般消費者に購入されるようになっている。そこで、映画などのジャンルのコンテンツを視聴する際に、特に、上述のような大型の画面にコンテンツの開始や終了のタイミングで幕を表示し音声にて開始及び終了を通知する場合、家庭にいながら映画館にいるような臨場感を視聴者に提供できる。
【００５１】
また、開始や終了するタイミングで、音声通知することで、ユーザが画面から目を離していても、音声でコンテンツの開始や終了を把握できる。それによって、ユーザはコンテンツを見逃すことを回避できたり、次の行動を決定することができる。
【００５２】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【産業上の利用可能性】
【００５３】
本発明は、テレビなどの表示装置に広く利用できる。
【図面の簡単な説明】
【００５４】
【図１】本発明の実施形態に係るテレビの構成を示す機能ブロック図である。
【図２】コンテンツが開始する際に付与される表示エフェクトの一例を示す図である。
【図３】コンテンツが終了する際に付与される表示エフェクトの一例を示す図である。
【図４】表示エフェクトのデータ及び音声データのリストテーブルの一例を示す図である。
【図５】電源がオンされた際に、表示エフェクトを付与する処理を示すフローチャートである。
【図６】電源がオンの状態において、表示エフェクトを付与する処理を示すフローチャートである。
【図７】電源がオフされた際に、表示エフェクトを付与する処理を示すフローチャートである。
【符号の説明】
【００５５】
１０・・・テレビ（表示装置）、  １１・・・チューナ、  １２・・・受信部、  １３・・・復号処理部、  １５・・・主制御部、  １６・・・外部入力部、  １７・・・操作取得部、  １８・・・表示部、  １９・・・スピーカ、  ２０・・・出力制御部、  ２１・・・セレクタ、  ２２・・・映像構築部、  ２３・・・エフェクト制御部、  ３０・・・エフェクト決定部、  ３１・・・コンテンツ判定部、  ３２・・・タイミング特定部、３３・・・ジャンル特定部  ３４・・・設定取得部、  ３５・・・エフェクト格納部、  ３８・・・表示設定部、  ３９・・・音声設定部、  ４２・・・外部映像装置、  ４３・・・リモコン、  ４４・・・外部記憶装置。
【図１】
2008193216.tif 000003
【図２】
2008193216.tif 000004
【図３】
2008193216.tif 000005
【図４】
2008193216.tif 000006
【図５】
2008193216.tif 000007
【図６】
2008193216.tif 000008
【図７】
2008193216.tif 000009